(57)【要約】【課題】同一の着信群を構成する複数の無線子機に対する個別の着信が発生する場合であっても、それぞれの無線子機を個別に呼び出すための着呼メッセージチャンネル（ＰＣＨ）に待ち合わせが生じてしまうことがない仕組みを有するＰＨＳ無線通信システムを提供する。【解決手段】ＰＨＳ規格に基づいて基地局ＣＳ１〜ＣＳｎと無線子機ＰＳ１〜ＰＳｍとの間で実施される無線通信を制御する無線通信制御装置１０は、基地局から無線子機に対して着信通知を送信するための着呼メッセージチャンネル（ＰＣＨ）として各基地局ＣＳ１〜ＣＳｎが有する１ないし複数例えば４個の着呼メッセージチャンネルＰＣＨ１〜ＰＣＨ４について、着呼メッセージチャンネルを待受ける無線子機ＰＳ１〜ＰＳｍごとに、互いに異なる基地局ＣＳ１〜ＣＳｎの着呼メッセージチャンネル（ＰＣＨ）を１対１に割り付けて、着呼メッセージチャンネル（ＰＣＨ）テーブルに登録するように制御する。【選択図】        図２
2011114562.tif 000002
【特許請求の範囲】
【請求項１】
ＰＨＳ（Personal Handy-phone System）規格に基づいて基地局と無線子機との間で実施される無線通信を制御する無線通信制御装置を備えたＰＨＳ無線通信システムであって、前記無線通信制御装置は、前記基地局から前記無線子機に対して着信通知を送信するための着呼メッセージチャンネル（ＰＣＨ：Paging Channel）として、各前記基地局が有する１ないし複数の前記着呼メッセージチャンネルについて、前記着呼メッセージチャンネルを待受ける前記無線子機ごとに、互いに異なる前記基地局の前記着呼メッセージチャンネルを１対１に割り付けるように制御することを特徴とするＰＨＳ無線通信システム。
【請求項２】
前記無線通信制御装置は、前記無線子機と前記基地局の前記着呼メッセージチャンネルとを１対１に対応付けて割り付けた状態を登録するＰＣＨテーブルを備えていることを特徴とする請求項１に記載のＰＨＳ無線通信システム。
【請求項３】
前記無線子機は、１ないし複数の前記基地局のうち、当該無線子機に対する着信通知用の前記着呼メッセージチャンネルを待受ける前記基地局を、待受け候補の基地局として選択して、当該待受け候補の基地局が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する着呼メッセージチャンネル登録要求を、前記待受け候補の基地局を介して前記無線通信制御装置に対して送信し、前記前記無線通信制御装置から前記着呼メッセージチャンネル登録要求を許可する登録許可信号を前記待受け候補の基地局を介して受け取った場合、前記待受け候補の基地局の当該無線子機への着信通知用として割り付けた前記着呼メッセージチャンネルを、当該無線子機への着信通知を待受ける前記基地局の前記着呼メッセージチャンネルとして決定して動作することを特徴とする請求項１または２に記載のＰＨＳ無線通信システム。
【請求項４】
前記無線子機は、前記前記無線通信制御装置から前記着呼メッセージチャンネル登録要求を拒否する登録拒否信号を前記待受け候補の基地局を介して受け取った場合、前記待受け候補の基地局とは異なる他の前記基地局を、新たな待受け候補の基地局として選択し直し、新たに選択し直した当該待受け候補の基地局が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する前記着呼メッセージチャンネル登録要求を、当該待受け候補の基地局を介して前記無線通信制御装置に対して送信する動作を、前記無線通信制御装置から当該着呼メッセージチャンネル登録要求を許可する前記登録許可信号を受け取るまで繰り返すことを特徴とする請求項３に記載のＰＨＳ無線通信システム。
【請求項５】
前記無線子機から送信する前記着呼メッセージチャンネル登録要求は、ＰＨＳ規格として規定された信号制御チャンネル（ＳＳＣＨ：Signaling Control Channel）を用いて送信し、前記無線子機へ送信されてくる前記登録許可信号または前記登録拒否信号は、前記着呼メッセージチャンネル（ＰＣＨ：Paging Channel）を用いて送信されてくることを特徴とする請求項３または４に記載のＰＨＳ無線通信システム。
【請求項６】
前記無線通信制御装置は、前記無線子機から前記待受け候補の基地局を介して前記着呼メッセージチャンネル登録要求を受信した際に、当該着呼メッセージチャンネル登録要求にて指定された前記待受け候補の基地局の前記着呼メッセージチャンネルが空きチャンネルであった場合には、要求元の前記無線子機に対して、当該前記着呼メッセージチャンネル登録要求にて指定されている前記待受け候補の基地局の前記着呼メッセージチャンネルを、当該無線子機への着信通知を待受けるためのチャンネルとして割り付けることを許可するとともに、その旨を示す登録許可信号を要求元の前記無線子機に対して前記待受け候補の基地局を介して返送することを特徴とする請求項３ないし５のいずれかに記載のＰＨＳ無線通信システム。
【請求項７】
前記無線通信制御装置は、前記無線子機から前記待受け候補の基地局を介して前記着呼メッセージチャンネル登録要求を受信した際に、当該着呼メッセージチャンネル登録要求にて指定された前記待受け候補の基地局の前記着呼メッセージチャンネルが他の前記無線子機の着信通知用として既に割付済みであった場合には、要求元の前記無線子機に対して、当該着呼メッセージチャンネル登録要求にて指定されている前記待受け候補の基地局の前記着呼メッセージチャンネルを、当該無線子機への着信通知を待受けるためのチャンネルとして割り付けることを拒否するとともに、その旨を示す登録拒否信号を要求元の前記無線子機に対して前記待受け候補の基地局を介して返送することを特徴とする請求項３ないし５のいずれかに記載のＰＨＳ無線通信システム。
【請求項８】
前記無線通信制御装置は、公衆網における電話交換装置、構内網におけるＰＢＸ（Private Branch Exchange）システム、ボタン電話装置のいずれかであることを特徴とする請求項１ないし７のいずれかに記載の無線通信制御装置。
【請求項９】
ＰＨＳ（Personal Handy-phone System）規格に基づいて基地局と無線子機との間で実施される無線通信を制御する無線通信制御装置であって、前記基地局から前記無線子機に対して着信通知を送信するための着呼メッセージチャンネル（ＰＣＨ：Paging Channel）として、各前記基地局が有する１ないし複数の前記着呼メッセージチャンネルについて、前記着呼メッセージチャンネルを待受ける前記無線子機ごとに、互いに異なる前記基地局の前記着呼メッセージチャンネルを１対１に割り付けるように制御することを特徴とする無線通信制御装置。
【請求項１０】
前記無線子機と前記基地局の前記着呼メッセージチャンネルとを１対１に対応付けて割り付けた状態を登録するＰＣＨテーブルを備えていることを特徴とする請求項９に記載の無線通信制御装置。
【請求項１１】
前記無線子機から、１ないし複数の前記基地局のうち、当該無線子機に対する着信通知用の前記着呼メッセージチャンネルを待受けるための候補として選択した待受け候補の基地局、が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する着呼メッセージチャンネル登録要求を、前記待受け候補の基地局を介して受信した際に、当該着呼メッセージチャンネル登録要求にて指定された前記待受け候補の基地局の前記着呼メッセージチャンネルが空きチャンネルであった場合には、要求元の前記無線子機に対して、当該着呼メッセージチャンネル登録要求にて指定されている前記待受け候補の基地局の前記着呼メッセージチャンネルを、当該無線子機への着信通知を待受けるためのチャンネルとして割り付けることを許可するとともに、その旨を示す登録許可信号を要求元の前記無線子機に対して前記待受け候補の基地局を介して返送することを特徴とする請求項９または１０に記載の無線通信制御装置。
【請求項１２】
前記無線子機から、１ないし複数の前記基地局のうち、当該無線子機に対する着信通知用の前記着呼メッセージチャンネルを待受けるための候補として選択した待受け候補の基地局、が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する着呼メッセージチャンネル登録要求を、前記待受け候補の基地局を介して受信した際に、当該着呼メッセージチャンネル登録要求にて指定された前記待受け候補の基地局の前記着呼メッセージチャンネルが他の前記無線子機の着信通知用として既に割付済みであった場合には、要求元の前記無線子機に対して、当該着呼メッセージチャンネル登録要求にて指定されている前記待受け候補の基地局の前記着呼メッセージチャンネルを、当該無線子機への着信通知を待受けるためのチャンネルとして割り付けることを拒否するとともに、その旨を示す登録拒否信号を要求元の前記無線子機に対して前記待受け候補の基地局を介して返送することを特徴とする請求項９または１０に記載の無線通信制御装置。
【請求項１３】
当該無線通信制御装置が、公衆網における電話交換装置、構内網におけるＰＢＸ（Private Branch Exchange）システム、ボタン電話装置のいずれかであることを特徴とする請求項９ないし１２のいずれかに記載の無線通信制御装置。
【請求項１４】
無線通信を制御する無線通信制御装置の制御下において、ＰＨＳ（Personal Handy-phone System）規格に基づいて、基地局との間の無線通信を行う無線子機であって、前記基地局からの着信通知を送信するための着呼メッセージチャンネル（ＰＣＨ：Paging Channel）として、１ないし複数の前記基地局それぞれが有する１ないし複数の前記着呼メッセージチャンネルのうち、いずれかの前記基地局の前記着呼メッセージチャンネルが、当該無線子機に対する着信通知用として、１対１に割り付けられていることを特徴とする無線子機。
【請求項１５】
１ないし複数の前記基地局のうち、当該無線子機に対する着信通知用の前記着呼メッセージチャンネルを待受ける前記基地局を、待受け候補の基地局として選択して、当該待受け候補の基地局が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する着呼メッセージチャンネル登録要求を、前記待受け候補の基地局を介して前記無線通信制御装置に対して送信し、前記前記無線通信制御装置から前記着呼メッセージチャンネル登録要求を許可する登録許可信号を前記待受け候補の基地局を介して受け取った場合、前記待受け候補の基地局の当該無線子機への着信通知用として割り付けた前記着呼メッセージチャンネルを、当該無線子機への着信通知を待受ける前記基地局の前記着呼メッセージチャンネルとして決定して動作することを特徴とする請求項１４に記載の無線子機。
【請求項１６】
前記前記無線通信制御装置から前記着呼メッセージチャンネル登録要求を拒否する登録拒否信号を前記待受け候補の基地局を介して受け取った場合、前記待受け候補の基地局とは異なる他の前記基地局を、新たな待受け候補の基地局として選択し直し、新たに選択し直した当該待受け候補の基地局が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する前記着呼メッセージチャンネル登録要求を、当該待受け候補の基地局を介して前記無線通信制御装置に対して送信する動作を、前記無線通信制御装置から当該着呼メッセージチャンネル登録要求を許可する前記登録許可信号を受け取るまで繰り返すことを特徴とする請求項１５に記載の無線子機。
【請求項１７】
ＰＨＳ（Personal Handy-phone System）規格に基づいて基地局と無線子機との間で実施される無線通信を制御する無線通信制御装置を備えたＰＨＳ無線通信システムにおけるＰＨＳ無線通信方法であって、前記無線通信制御装置は、前記基地局から前記無線子機に対して着信通知を送信するための着呼メッセージチャンネル（ＰＣＨ：Paging Channel）として、各前記基地局が有する１ないし複数の前記着呼メッセージチャンネルについて、前記着呼メッセージチャンネルを待受ける前記無線子機ごとに、互いに異なる前記基地局の前記着呼メッセージチャンネルを１対１に割り付けるように制御することを特徴とするＰＨＳ無線通信方法。
【請求項１８】
前記無線通信制御装置は、前記無線子機と前記基地局の前記着呼メッセージチャンネルとを１対１に対応付けて割り付けた状態を登録するＰＣＨテーブルを備えていることを特徴とする請求項１７に記載のＰＨＳ無線通信方法。
【請求項１９】
請求項１７または１８に記載のＰＨＳ無線通信方法を、コンピュータにより実行可能なプログラムとして実施していることを特徴とするＰＨＳ無線通信プログラム。
【請求項２０】
請求項１９に記載のＰＨＳ無線通信プログラムを、コンピュータにより読み取り可能な記録媒体に記録していることを特徴とするプログラム記録媒体。
【発明の詳細な説明】
【技術分野】
【０００１】
本発明は、ＰＨＳ（Personal Handy-phone System）無線通信システム、無線通信制御装置、無線子機、ＰＨＳ無線通信方法、ＰＨＳ無線通信プログラムおよびプログラム記録媒体に関し、特に、ＰＨＳシステムのごとき無線通信システムにおいて、無線子機（ＰＳ：Personal Station）の呼出タイミングの遅延を最小限に抑えることが可能なＰＨＳ無線通信システム、無線通信制御装置、無線子機、ＰＨＳ無線通信方法、ＰＨＳ無線通信プログラムおよびプログラム記録媒体に関する。
【背景技術】
【０００２】
ＰＨＳ（Personal Handy-phone System）方式を用いるＰＨＳ無線通信システムにおいては、図８に示すように、着信先の無線子機（ＰＳ：Personal Station）に対する着信（個別着信）は、構内網におけるボタン電話装置やＰＢＸ（Private Branch Exchange）システムや公衆網における電話交換装置等の無線通信制御装置（主装置）から、配下の各基地局（ＣＳ：Cell Station）例えば基地局ＣＳ１、ＣＳ２，ＣＳ３に対して、着信先の無線子機（ＰＳ：Personal Station）例えば無線子機ＰＳ１への着呼を通知する。図８は、ＰＨＳ方式を用いるＰＨＳ無線通信システムにおける着信動作を説明するためのシーケンス図であり、ＰＨＳ無線通信システムの主装置である無線通信制御装置と、該無線通信制御装置に接続されている各基地局ＣＳ１、ＣＳ２，ＣＳ３と、着信先の無線子機ＰＳ１と、の間で送受信される信号の流れを示している。
【０００３】
図８においては、着信先の無線子機ＰＳ１は、待受け中の状態において着信通知用として基地局ＣＳ３からの着呼メッセージチャンネルＰＣＨ１を監視するように、基地局ＣＳ３からの信号を待受ける状態に設定されているものとする。
【０００４】
図８において、ＰＨＳ無線通信システムの主装置である無線通信制御装置から、配下に接続されている各基地局ＣＳ１、ＣＳ２，ＣＳ３に対して、無線子機ＰＳ１への着呼を通知してくると（シーケンスＳｅｑ１，Ｓｅｑ２，Ｓｅｑ３）、各基地局ＣＳ１、ＣＳ２，ＣＳ３は、制御チャンネル（ＣＣＨ：Control Channel）中に割り当てられている着信通知用の複数の着呼メッセージチャンネル（ＰＣＨ：Paging Channel）のうち、着信先の無線子機ＰＳ１の着信群に対応する着呼メッセージチャンネル(ＰＣＨ)例えば第１グループの着呼メッセージチャンネルＰＣＨ１を用いて、無線子機ＰＳ１への着呼を送信する（シーケンスＳｅｑ４，Ｓｅｑ５，Ｓｅｑ６）。
【０００５】
着信先の無線子機ＰＳ１は、各基地局ＣＳ１、ＣＳ２，ＣＳ３から送信される第１グループの無線子機（ＰＳ）に対する着信通知用の着呼メッセージチャンネルＰＣＨ１のうち、待受け中の状態に設定されている基地局ＣＳ３からの着呼メッセージチャンネルＰＣＨ１を受信して、該着呼メッセージチャンネルＰＣＨ１に当該無線子機（ＰＳ）を示すＰＳ番号が含まれていることを検知することにより、当該無線子機ＰＳ１への着信の通知を認識し、着信処理を起動する（シーケンスＳｅｑ７）。
【０００６】
起動された着信処理により、当該着信の受付けが可能であると判定されると、着信先の無線子機ＰＳ１から、リンクチャンネル（ＬＣＨ：Link Channel）割当要求信号を、基地局ＣＳ３へ返送する（シーケンスＳｅｑ８）。該リンクチャンネル割当要求信号を受信した基地局ＣＳ３は、通話用のトラフィックチャンネル（ＴＣＨ：Traffic Channel）に関する情報を含むリンクチャンネル割当信号を返送する（シーケンスＳｅｑ９）。以上のようなシーケンスを経て、着信先の無線子機ＰＳ１は、基地局ＣＳ３を介して、割り当てられた通話用のトラフィックチャンネル（ＴＣＨ）を用いて、発信してきた通信相手と通話を行う状態に移行する（シーケンスＳｅｑ１０）。
【０００７】
以上のようなシーケンスにより、無線子機ＰＳ１の着信群に対応する着呼メッセージチャンネル(ＰＣＨ)例えば着呼メッセージチャンネルＰＣＨ１を用いて、無線子機ＰＳ１に対する着呼動作が実施される。
【０００８】
ここで、基地局（ＣＳ）から無線子機（ＰＳ）への着信時は、図９に示すように、着呼メッセージチャンネル（ＰＣＨ）中に、着信先の無線子機（ＰＳ）を示すＰＳ番号を含んで送出されてくる。図９は、ＰＨＳ無線通信システムにおける着呼メッセージチャンネル（ＰＣＨ）のメッセージフォーマットを説明するための説明図であり、ＲＣＲ  ＳＴＤ−２８規格（電波産業会（ＲＣＲ：Research & Development Center for Radio Systems）制定の第２世代コードレス電話システムの無線インタフェースに関する国内標準規格）に準拠したものであり、基地局（ＣＳ）から無線子機（ＰＳ）への下り方向に着信通知用として送信される着呼メッセージチャンネル（ＰＣＨ）のメッセージフォーマットを示している。図９に示すように、着呼メッセージチャンネル（ＰＣＨ）は、８オクテットから構成されており、第１オクテット目の第４〜第１ビットのＰＳ番号（第１数字）以降第７オクテット目のＰＳ番号（第１２数字）、ＰＳ番号（第１３数字）まで、着信先の無線子機（ＰＳ）を示すＰＳ番号が、第１オクテット目の呼出サービス種別（着信通知を示すサービス種別）とともに含まれている。
【０００９】
着呼メッセージチャンネルＰＣＨ１を受信した無線子機ＰＳ１は、該着呼メッセージチャンネルＰＣＨ１に含まれているＰＳ番号（第１数字）ないしＰＳ番号（第１３数字）が、自無線子機ＰＳ１を示すＰＳ番号であることを認識することにより、自無線子機ＰＳ１宛の着信があった旨を検出することになる。
【００１０】
また、着信群とは、ＲＣＲ  ＳＴＤ−２８規格に定められているように、着呼メッセージチャンネル（ＰＣＨ）により同時着信を行うことを可能とする単位として、複数の無線子機（ＰＳ）を群分けしたものであり、無線子機（ＰＳ）を示すＰＳ番号を着信群分け数で除算した際の剰余に“１”を加えた数値によってグループを構成する。例えば、着信群分け数が“４”の場合において、ＰＳ番号が“２００”の無線子機（ＰＳ）の場合、当該無線子機（ＰＳ）の着信群（グループ）は、“１”（＝２００（ＭＯＤ４）＋１）になる。
【００１１】
また、基地局（ＣＳ）から無線子機（ＰＳ）への下り方向の制御用信号は、図１０に示すように、論理制御チャンネル（ＬＣＣＨ：Logical Control Channel）スーパフレームとして送信されるように構成されている。図１０は、ＰＨＳ無線通信システムにおける下り方向の制御用信号を送信する論理制御チャンネル（ＬＣＣＨ）スーパフレームのフレーム構成を示す説明図であり、該論理制御チャンネル（ＬＣＣＨ）スーパフレームが、報知チャンネル（ＢＣＣＨ：Broadcasting Control Channel）、着信群分け数分の複数の着呼メッセージチャンネル（ＰＣＨ）、個別セル用の複数の信号制御チャンネル（ＳＳＣＨ：Signaling Control Channel）からなっている。
【００１２】
また、図１０には、論理制御チャンネル（ＬＣＣＨ）スーパフレームに含まれる複数の着呼メッセージチャンネル（ＰＣＨ）は、着信群分け数が‘４’の場合を例示しており、着呼メッセージチャンネルＰＣＨ１〜着呼メッセージチャンネルＰＣＨ４の４個のチャンネル数からなっている場合を示している。着呼メッセージチャンネルＰＣＨ１〜着呼メッセージチャンネルＰＣＨ４は、それぞれ、各着信群の無線子機（ＰＳ）の受信タイミングと同期を取ったタイミングで一斉呼出チャンネルとして送信するようになっており、各無線子機（ＰＳ）は、バッテリーセービング中においては、当該無線子機（ＰＳ）向けの着呼メッセージチャンネル（ＰＣＨ）の送信タイミングと受信同期して、当該無線子機（ＰＳ）向けの着呼メッセージチャンネル（ＰＣＨ）を受信するようにしている。
【００１３】
つまり、図１０に示すように、ＰＳ番号が‘２００’の無線子機ＰＳ１、ＰＳ番号が‘２０４’の無線子機ＰＳ５は、待受け中の状態においては、いずれも、着信群が‘１’の着信群１に属しており、着信群１に属する無線子機ＰＳ１，ＰＳ５は、待受け中の状態においては、いずれも、着呼メッセージチャンネルＰＣＨ１の送信タイミングで、受信ゲートＲｘをＯＮにし、それ以外のタイミングでは、受信ゲートＲｘがＯＦＦの状態になる。また、ＰＳ番号が‘２０２’の無線子機ＰＳ３は、着信群が‘３’の着信群３に属しており、着信群３に属する無線子機ＰＳ３は、待受け中の状態においては、着呼メッセージチャンネルＰＣＨ３の送信タイミングで、受信ゲートＲｘをＯＮにし、それ以外のタイミングでは、受信ゲートＲｘがＯＦＦの状態になる。
【００１４】
前述したように、ＲＣＲ  ＳＴＤ−２８規格に準拠した現状のＰＨＳ無線通信システムにおいては、同一着信群として、同一の着呼メッセージチャンネル（ＰＣＨ：Paging Channel）に複数台の無線子機（ＰＳ：Personal Station、移動局、モバイル端末）が割り付けられる。
【００１５】
その結果、同一着信群に属する複数の無線子機（ＰＳ）に対して同時期にそれぞれに個別の着信があった場合、１台目の無線子機（ＰＳ）を呼び出すために、当該１台目の無線子機（ＰＳ）への着信中は、ＣＣＨ（Control Channel：制御チャンネル）中の該当する着呼メッセージチャンネル（ＰＣＨ）が、当該１台目の無線子機に関する１台のみの呼出しのために占有されてしまうことになる。つまり、同一の着信群に属する別の無線子機(ＰＳ)に対して着信があっても、先に呼び出している１台目の無線子機（ＰＳ）に対する着信が終了すること等によって、当該着呼メッセージチャンネル（ＰＣＨ）が開放されるまでの間、後続する無線子機（ＰＳ）への着信が待たされる（つまり、後続の無線子機（ＰＳ）に対して着信が通知されない）ことになる、という課題があった。
【００１６】
さらに言えば、同一着信群に属する複数の無線子機（ＰＳ）に対して同時期にそれぞれに個別の着信があった場合、１台目の無線子機（ＰＳ）に対して送信している制御チャンネル（ＣＣＨ：Control Channel）中の着呼メッセージチャンネル（ＰＣＨ：Paging Channel）の開放待ちのため、２台目以降の無線子機（ＰＳ）の着信が遅れるという課題があった。
【００１７】
このため、特許文献１の特開平８−３４０５７２号公報「無線通信の一斉着信同期方法、無線回線接続装置および無線端末」においては、同一の着信群を構成する複数の無線子機（ＰＳ）について一斉に着信させる方式として、共通の着呼用のフラグ（着信動作指示ビット）を着呼メッセージチャンネル（ＰＣＨ）に付して送信するという一斉着信方式を提案している。これにより、複数の無線子機（ＰＳ）を同時に呼び出すことを可能にし、２台目以降の無線子機（ＰＳ）へも、遅れることなく着信させることができる仕組みを提案している。
【先行技術文献】
【特許文献】
【００１８】
【特許文献１】特開平８−３４０５７２号公報（第３−４頁）
【発明の概要】
【発明が解決しようとする課題】
【００１９】
ＲＣＲ  ＳＴＤ−２８規格に準拠した現状のＰＨＳ無線通信システムの着信方式においては、前述のように、着信通知用の着呼メッセージチャンネル（ＰＣＨ）は、対応する着信群を構成する複数の無線子機（ＰＳ）のうち、いずれか１台の無線子機（ＰＳ）分しか通知することができないため、略同時期には、同一着信群の複数の無線子機（ＰＳ）に対して個別に着信させることはできない。
【００２０】
つまり、最初のいずれか１台の無線子機（ＰＳ）に対する着信通知用に使用される着呼メッセージチャンネル（ＰＣＨ）が開放されるまで、次の無線子機（ＰＳ）に対する着信通知は実行されない。特に、最初に呼出される無線子機（ＰＳ）が電源ＯＦＦや通信圏外の状態にあった場合には、即時には着呼メッセージチャンネル（ＰＣＨ）が開放されないため、次の無線子機（ＰＳ）に対する着信が大きく遅延する。
【００２１】
このような問題を解決するために、前述のように、前記特許文献１においては、同一の着信群を構成する複数の無線子機（ＰＳ）について一斉に着信させる方式（一斉着信方式）を提案し、複数の無線子機（ＰＳ）に共通の着呼用のフラグを着呼メッセージチャンネル（ＰＣＨ）で送信するという提案をしている。しかしながら、当該特許文献１のような一斉着信方式の場合、複数の無線子機（ＰＳ）に対して個別着信が頻発するような状況の場合には、適用することができない。
【００２２】
本発明は、かかる課題を解決するためになされたものであり、同一の着信群を構成する複数の無線子機（ＰＳ）に対する個別の着信が発生した場合であっても、それぞれの無線子機（ＰＳ）を個別に呼び出すための着呼メッセージチャンネル（ＰＣＨ）に待ち合わせが生じてしまうことがない仕組みを有するＰＨＳ無線通信システム、無線通信制御装置、無線子機、ＰＨＳ無線通信方法、ＰＨＳ無線通信プログラムおよびプログラム記録媒体を提供することを、その目的としている。
【課題を解決するための手段】
【００２３】
前述の課題を解決するため、本発明によるＰＨＳ無線通信システムは、次のような特徴的な構成を採用している。
【００２４】
（１）ＰＨＳ（Personal Handy-phone System）規格に基づいて基地局と無線子機との間で実施される無線通信を制御する無線通信制御装置を備えたＰＨＳ無線通信システムであって、前記無線通信制御装置は、前記基地局から前記無線子機に対して着信通知を送信するための着呼メッセージチャンネル（ＰＣＨ：Paging Channel）として、各前記基地局が有する１ないし複数の前記着呼メッセージチャンネルについて、前記着呼メッセージチャンネルを待受ける前記無線子機ごとに、互いに異なる前記基地局の前記着呼メッセージチャンネルを１対１に割り付けるように制御するＰＨＳ無線通信システム。
【発明の効果】
【００２５】
本発明のＰＨＳ無線通信システム、無線通信制御装置、無線子機、ＰＨＳ無線通信方法、ＰＨＳ無線通信プログラムおよびプログラム記録媒体によれば、以下のような効果を奏することができる。
【００２６】
それぞれの無線子機（ＰＳ）に対して着信通知を行う着呼メッセージチャンネル（ＰＣＨ）は、それぞれの無線子機（ＰＳ）と１対１に対応して、個別に割り付けられているので、たとえ、同一着信群に属する複数の無線子機（ＰＳ）に対して略同時に個別着信があったような場合であっても、着信通知を行う着呼メッセージチャンネル（ＰＣＨ）の空きを待つことなく、それぞれの無線子機（ＰＳ）に対して個別に着呼メッセージチャンネル（ＰＣＨ）を直ちに送信することができ、高速に着信通知を行うことができる。
【図面の簡単な説明】
【００２７】
【図１】本発明によるＰＨＳ無線通信システムを構成する各構成要素の一例を示す構成図である。
【図２】図１に示す無線通信制御装置のメモリ内に備えられている「着呼メッセージチャンネル（ＰＣＨ）テーブル」のメモリ構成の一例を示すテーブルである。
【図３】図１に示すＰＨＳ無線通信システムにおいて無線通信制御装置の「着呼メッセージチャンネル（ＰＣＨ）テーブル」に各基地局（ＣＳ）からの各着呼メッセージチャンネル（ＰＣＨ）を待受ける無線子機（ＰＳ）のＰＳ番号を登録する動作シーケンスの一例を示すシーケンス図である。
【図４】図１に示すＰＨＳ無線通信システムにおいて無線通信制御装置の「着呼メッセージチャンネル（ＰＣＨ）テーブル」に各基地局（ＣＳ）からの各着呼メッセージチャンネル（ＰＣＨ）を待受ける無線子機（ＰＳ）のＰＳ番号を登録する際の無線子機（ＰＳ）における動作の一例を示すフローチャートである。
【図５】図１に示すＰＨＳ無線通信システムにおいて無線通信制御装置の「着呼メッセージチャンネル（ＰＣＨ）テーブル」に各基地局（ＣＳ）からの各着呼メッセージチャンネル（ＰＣＨ）を待受ける無線子機（ＰＳ）のＰＳ番号を登録する際の無線通信制御装置における動作の一例を示すフローチャートである。
【図６】図１に示すＰＨＳ無線通信システムにおける各無線子機（ＰＳ）に対する着呼メッセージチャンネル（ＰＣＨ）の割付状態の一例を模式的に示す模式図である。
【図７】図１に示すＰＨＳ無線通信システムにおいて同一着信群の複数の無線子機（ＰＳ）に対して略同時に着信した場合の着呼メッセージチャンネル（ＰＣＨ）の送信状況の一例を説明するための模式図である。
【図８】ＰＨＳ方式を用いるＰＨＳ無線通信システムにおける着信動作を説明するためのシーケンス図である。
【図９】ＰＨＳ無線通信システムにおける着呼メッセージチャンネル（ＰＣＨ）のメッセージフォーマットを説明するための説明図である。
【図１０】ＰＨＳ無線通信システムにおける下り方向の制御用信号を送信する論理制御チャンネル（ＬＣＣＨ）スーパフレームのフレーム構成を示す説明図である。
【発明を実施するための形態】
【００２８】
以下、本発明によるＰＨＳ無線通信システム、無線通信制御装置、無線子機、ＰＨＳ無線通信方法、ＰＨＳ無線通信プログラムおよびプログラム記録媒体の好適な実施形態について添付図を参照して説明する。なお、以下の説明においては、本発明によるＰＨＳ無線通信システム、無線通信制御装置、無線子機およびＰＨＳ無線通信方法について説明するが、かかるＰＨＳ無線通信方法をコンピュータにより実行可能なＰＨＳ無線通信プログラムとして実施するようにしても良いし、あるいは、ＰＨＳ無線通信プログラムをコンピュータにより読み取り可能な記録媒体に記録するようにしても良いことは言うまでもない。また、本発明による無線通信制御装置は、ＰＨＳ無線通信システムの主装置を構成するものであり、構内網におけるＰＢＸ（Private Branch Exchange）システムやボタン電話装置であっても良いし、場合によっては、公衆網における電話交換装置であっても良い。
【００２９】
（本発明の特徴）
本発明の実施形態の説明に先立って、本発明の特徴についてその概要をまず説明する。本発明は、ＰＨＳ無線通信システムにおける着信動作の高速化を実現することを目的とするものであり、各基地局（ＣＳ：Cell Station）の各着呼メッセージチャンネル（ＰＣＨ：Paging Channel）に対して、待受け無線子機（ＰＳ：Personal Station）が１台ずつ割り当てられるように制御することを特徴とするものである。つまり、各基地局（ＣＳ）の着呼メッセージチャンネル（ＰＣＨ）単位に、１台ずつ、無線子機（ＰＳ）を分散待受けさせるように制御することによって、同一着信群に属する複数の無線子機（ＰＳ）であっても、各無線子機（ＰＳ）それぞれへの呼出しを遅滞なく実施することを可能としていることを特徴としている。
【００３０】
具体的には、無線子機（ＰＳ）間の無線通信の制御を行う主装置すなわちＰＢＸシステムやボタン電話装置等の無線通信制御装置に、配下の各基地局（ＣＳ）の各着呼メッセージチャンネル（ＰＣＨ）と待受ける無線子機(ＰＳ)との関係を１対１で対応付けて管理する「着呼メッセージチャンネル（ＰＣＨ）テーブル」を設け、無線子機（ＰＳ）それぞれの待受け基地局（ＣＳ）として、空きの着呼メッセージチャンネル（ＰＣＨ）が存在する基地局（ＣＳ）を割り付け、該基地局（ＣＳ）の空きの着呼メッセージチャンネル（ＰＣＨ）それぞれを無線子機（ＰＳ）それぞれに対する着信通知用のチャンネルとして割り付けるように、「着呼メッセージチャンネル（ＰＣＨ）テーブル」に登録することを特徴としている。
【００３１】
言い換えると、無線子機（ＰＳ）間の無線通信の制御を行う主装置すなわちＰＢＸシステムやボタン電話装置等の無線通信制御装置に設けられる「着呼メッセージチャンネル（ＰＣＨ）テーブル」は、各基地局（ＣＳ）の着呼メッセージチャンネル（ＰＣＨ）と待受ける無線子機（ＰＳ）を示すＰＳ番号とを対応付けてリンクする情報を登録保持しており、各基地局（ＣＳ）の着呼メッセージチャンネル（ＰＣＨ）１チャンネルに対して、待受ける無線子機（ＰＳ）が１台になるように管理・制御を行う仕組みを有している。
【００３２】
したがって、主装置である無線通信制御装置は、或る無線子機（ＰＳ）に対する着信があると、「着呼メッセージチャンネル（ＰＣＨ）テーブル」を参照して、当該無線子機（ＰＳ）への着信通知用のチャンネルとして当該無線子機（ＰＳ）が待受ける着呼メッセージチャンネル（ＰＣＨ）を１対１に有している基地局（ＣＳ）に対して着信通知を送信することになる。なお、「着呼メッセージチャンネル（ＰＣＨ）テーブル」の更新は、無線子機（ＰＳ）−通信網（基地局（ＣＳ）、無線通信制御装置）間で行い、制御信号の送受信については、上り方向は、個別セル用の信号制御チャンネル（ＳＳＣＨ：Signaling Control Channel）を用いて、また、下り方向は、着呼メッセージチャンネル（ＰＣＨ）を用いて行う。
【００３３】
（実施形態の構成例）
次に、本発明によるＰＨＳ無線通信システムの実施形態について、その一例を説明する。図１は、本発明によるＰＨＳ無線通信システムを構成する各構成要素の一例を示す構成図である。図１に示すように、本発明によるＰＨＳ無線通信システムは、無線子機（ＰＳ）間の無線通信の制御を行う主装置すなわちＰＢＸシステムやボタン電話装置等の無線通信制御装置１０と、該無線通信制御装置１０の配下に内線回線で接続され、通信エリア内の無線子機（ＰＳ）と無線信号を送受信する１ないし複数の基地局（ＣＳ）（図１においては、基地局ＣＳ１，ＣＳ２，ＣＳ３，…，ＣＳｎのｎ個の基地局）と、基地局（ＣＳ）との間で無線信号を送受信する１ないし複数の無線子機（ＰＳ）（図１においては、無線子機ＰＳ１，ＰＳ２，ＰＳ３，ＰＳ４，…，ＰＳ８，ＰＳ９の９個の無線子機）と、により構成される。
【００３４】
ここで、着信通知用の着呼メッセージチャンネル（ＰＣＨ）のチャンネル数は、図１０の場合と同様、論理制御チャンネル（ＬＣＣＨ）スーパフレーム当たり、着呼メッセージチャンネルＰＣＨ１〜着呼メッセージチャンネルＰＣＨ４の４個であり、着信群分け数が４個であるものとする。また、９個の無線子機（ＰＳ）のうち、無線子機ＰＳ１，ＰＳ５、ＰＳ９の３個の無線子機（ＰＳ）は、ＰＳ番号が着信群分け数‘４’の整数倍であって、着信群１に属しており、また、無線子機ＰＳ２，ＰＳ６の２個の無線子機（ＰＳ）は、ＰＳ番号が着信群分け数‘４’の整数倍に‘１’を加えた数値であって、着信群２に属しており、また、無線子機ＰＳ３，ＰＳ７の２個の無線子機（ＰＳ）は、ＰＳ番号が着信群分け数‘４’の整数倍に‘２’を加えた数値であって、着信群３に属しており、また、無線子機ＰＳ４，ＰＳ８の２個の無線子機（ＰＳ）は、ＰＳ番号が着信群分け数‘４’の整数倍に‘３’を加えた数値であって、着信群３に属しているものとする。
【００３５】
無線子機（ＰＳ）間の無線通信を制御する主装置である無線通信制御装置１０は、自身のメモリ内に、図２に示すような「着呼メッセージチャンネル（ＰＣＨ）テーブル」を保持している。図２は、図１に示す無線通信制御装置１０のメモリ内に備えられている「着呼メッセージチャンネル（ＰＣＨ）テーブル」のメモリ構成の一例を示すテーブルであり、各基地局ＣＳ１，ＣＳ２，ＣＳ３，…，ＣＳｎにおける各着呼メッセージチャンネルＰＣＨ１〜着呼メッセージチャンネルＰＣＨ４それぞれに対して、図１の無線子機ＰＳ１〜ＰＳ９それぞれの着信通知用のチャンネルを割り付けている状態を例示している。
【００３６】
つまり、図２に示す「着呼メッセージチャンネル（ＰＣＨ）テーブル」は、配下の各基地局（ＣＳ）を特定するＣＳ番号と各基地局（ＣＳ）が有する各着呼メッセージチャンネル（ＰＣＨ）を特定するＰＣＨチャンネル番号とを行列としたテーブルで構成されており、行列の交点には、待受ける無線子機（ＰＳ）を示すＰＳ番号または空きの値が設定される。
【００３７】
図２の「着呼メッセージチャンネル（ＰＣＨ）テーブル」の設定例においては、同一着信群の着信群１に属する無線子機ＰＳ１，ＰＳ５，ＰＳ９は、いずれも、着信通知用の着呼メッセージチャンネルＰＣＨ１を待受けるものの、それぞれの基地局（ＣＳ）は異なっており、無線子機ＰＳ１は、基地局ＣＳ１からの着呼メッセージチャンネルＰＣＨ１を待受け、無線子機ＰＳ５は、基地局ＣＳ２からの着呼メッセージチャンネルＰＣＨ１を待受け、無線子機ＰＳ９は、基地局ＣＳ３からの着呼メッセージチャンネルＰＣＨ１を待受けるように、割り付けられている。また、同一着信群の着信群２に属する無線子機ＰＳ２，ＰＳ６は、いずれも、着呼メッセージチャンネルＰＣＨ２を待受けるものの、それぞれの基地局（ＣＳ）は異なっており、無線子機ＰＳ２は、基地局ＣＳ１からの着呼メッセージチャンネルＰＣＨ２を待受け、無線子機ＰＳ６は、基地局ＣＳ３からの着呼メッセージチャンネルＰＣＨ２を待受けるように、割り付けられている。
【００３８】
また、同一着信群の着信群３に属する無線子機ＰＳ３，ＰＳ７は、いずれも、着呼メッセージチャンネルＰＣＨ３を待受けるものの、それぞれの基地局（ＣＳ）は異なっており、無線子機ＰＳ３は、基地局ＣＳ２からの着呼メッセージチャンネルＰＣＨ３を待受け、無線子機ＰＳ６は、基地局ＣＳ３からの着呼メッセージチャンネルＰＣＨ３を待受けるように、割り付けられている。また、同一着信群の着信群３に属する無線子機ＰＳ４，ＰＳ８は、いずれも、着呼メッセージチャンネルＰＣＨ４を待受けるものの、それぞれの基地局（ＣＳ）は異なっており、無線子機ＰＳ４は、基地局ＣＳ１からの着呼メッセージチャンネルＰＣＨ４を待受け、無線子機ＰＳ８は、基地局ＣＳ３からの着呼メッセージチャンネルＰＣＨ４を待受けるように、割り付けられている。
【００３９】
（実施形態の動作の説明）
次に、図１のＰＨＳ無線通信システムの動作の一例として、無線通信制御装置１０の「着呼メッセージチャンネル（ＰＣＨ）テーブル」に各基地局（ＣＳ）からの各着呼メッセージチャンネル（ＰＣＨ）を待受ける無線子機（ＰＳ）のＰＳ番号を登録する動作の一例について、図３、図４、図５を用いて説明する。
【００４０】
図３は、図１に示すＰＨＳ無線通信システムにおいて無線通信制御装置１０の「着呼メッセージチャンネル（ＰＣＨ）テーブル」に各基地局（ＣＳ）からの各着呼メッセージチャンネル（ＰＣＨ）を待受ける無線子機（ＰＳ）のＰＳ番号を登録する動作シーケンスの一例を示すシーケンス図であり、無線子機（ＰＳ）として無線子機ＰＳ１の場合を例にとって、基地局ＣＳ１を待受け対象の基地局（ＣＳ）として選択した場合のシーケンスを示している。
【００４１】
図４は、図１に示すＰＨＳ無線通信システムにおいて無線通信制御装置１０の「着呼メッセージチャンネル（ＰＣＨ）テーブル」に各基地局（ＣＳ）からの各着呼メッセージチャンネル（ＰＣＨ）を待受ける無線子機（ＰＳ）のＰＳ番号を登録する際の無線子機（ＰＳ）における動作の一例を示すフローチャートである。また、図５は、図１に示すＰＨＳ無線通信システムにおいて無線通信制御装置１０の「着呼メッセージチャンネル（ＰＣＨ）テーブル」に各基地局（ＣＳ）からの各着呼メッセージチャンネル（ＰＣＨ）を待受ける無線子機（ＰＳ）のＰＳ番号を登録する際の無線通信制御装置１０における動作の一例を示すフローチャートである。
【００４２】
まず、「着呼メッセージチャンネル（ＰＣＨ）テーブル」へ各着呼メッセージチャンネル（ＰＣＨ）を待受ける無線子機ＰＳ１のＰＳ番号を登録する際の無線通信制御装置１０、基地局ＣＳ１、無線子機ＰＳ１間の制御信号のやり取りについて、その一例を、図３のシーケンス図を用いて説明する。基地局ＣＳ１と無線子機ＰＳ１との間の制御信号は、無線子機ＰＳ１から基地局ＣＳ１への上り方向については、個別セル用の信号制御チャンネル（ＳＳＣＨ：Signaling Control Channel）を用いて送受信され、また、基地局ＣＳ１から無線子機ＰＳ１への下り方向は、着呼メッセージチャンネル（ＰＣＨ：Paging Channel）を用いて送受信される。
【００４３】
図３において、無線子機ＰＳ１が着信通知用の着呼メッセージチャンネル（ＰＣＨ）を待受ける基地局（ＣＳ）の候補として基地局ＣＳ１をまず選択すると、無線子機ＰＳ１から基地局ＣＳ１に対して、信号制御チャンネル（ＳＳＣＨ）を用いて、着呼メッセージチャンネル（ＰＣＨ）登録要求を送信する（シーケンスＳｅｑ１）。該着呼メッセージチャンネル（ＰＣＨ）登録要求を受け取った基地局ＣＳ１は、無線子機ＰＳ１から受け取った着呼メッセージチャンネル（ＰＣＨ）登録要求を主装置である無線通信制御装置１０へ転送する（シーケンスＳｅｑ２）。
【００４４】
基地局ＣＳ１を介して無線子機ＰＳ１からの着呼メッセージチャンネル（ＰＣＨ）登録要求を受け取った無線通信制御装置１０は、着呼メッセージチャンネル（ＰＣＨ）テーブル登録処理を起動して（シーケンスＳｅｑ３）、転送元の基地局ＣＳ１における着呼メッセージチャンネルＰＣＨ１〜着呼メッセージチャンネルＰＣＨ４のうち、登録要求元の無線子機ＰＳ１のＰＳ番号が示す着信群に割り当てられるべき着呼メッセージチャンネル（ＰＣＨ）（本実施形態においては、着呼メッセージチャンネルＰＣＨ１が該当する）を算出する。
【００４５】
算出結果として得られた基地局ＣＳ１の着呼メッセージチャンネルＰＣＨ１により「着呼メッセージチャンネル（ＰＣＨ）テーブル」を検索して、当該基地局ＣＳ１の着呼メッセージチャンネルＰＣＨ１が空きの状態にあり、他の無線子機（ＰＳ）にまだ割り付けられていなかった場合は、当該基地局ＣＳ１の着呼メッセージチャンネルＰＣＨ１を登録要求元の無線子機ＰＳ１に対する着信通知用の着呼メッセージチャンネル（ＰＣＨ）として登録する。
【００４６】
なお、基地局ＣＳ１における着呼メッセージチャンネルＰＣＨ１が既に他の無線子機（ＰＳ）に割り付けられていて、空きのチャンネルではなかった場合は、登録要求元の無線子機ＰＳ１の着呼メッセージチャンネル（ＰＣＨ）の登録を拒否する。
【００４７】
しかる後、無線通信制御装置１０は、「着呼メッセージチャンネル（ＰＣＨ）テーブル」の登録が成功したか否かを示すＰＣＨ登録許可／拒否信号を生成して、着呼メッセージチャンネル（ＰＣＨ）登録要求の送信元の基地局ＣＳ１に返送する（シーケンスＳｅｑ４）。該ＰＣＨ登録許可／拒否信号を受け取った基地局ＣＳ１は、無線通信制御装置１０から受け取ったＰＣＨ登録許可／拒否信号を、着呼メッセージチャンネル（ＰＣＨ）を用いて、登録要求元の無線子機ＰＳ１に対して返送する（シーケンスＳｅｑ５）。
【００４８】
該ＰＣＨ登録許可／拒否信号を受け取った無線子機ＰＳ１は、受け取ったＰＣＨ登録許可／拒否信号に基づいて、着呼メッセージチャンネル（ＰＣＨ）の登録が成功したか否かを判別し、待受け基地局の候補として選択した基地局ＣＳ１の登録が成功していた場合は、以降、基地局ＣＳ１からの着呼メッセージチャンネルＰＣＨ１の送信タイミングに同期したタイミングで受信ゲートＲｘをＯＮにする受信状態に設定する。一方、待受け基地局としての基地局ＣＳ１の登録が失敗した場合は、無線子機ＰＳ１は、次の基地局（ＣＳ）例えば基地局ＣＳ２を待受け基地局の候補として選択して、次の基地局（ＣＳ）例えば基地局ＣＳ２に対して着呼メッセージチャンネル（ＰＣＨ）登録要求を送信するという動作を行い、着信通知用の着呼メッセージチャンネル（ＰＣＨ）を待受ける待受け基地局の登録が成功するまで、前述の動作を繰り返す。
【００４９】
次に、「着呼メッセージチャンネル（ＰＣＨ）テーブル」へ着信通知用の着呼メッセージチャンネル（ＰＣＨ）を待受ける無線子機（ＰＳ）のＰＳ番号を登録する際の無線子機（ＰＳ）における動作の一例を、図４のフローチャートを用いて説明する。
【００５０】
図４のフローチャートにおいて、無線子機（ＰＳ）が着呼メッセージチャンネル（ＰＣＨ）を待受ける基地局（ＣＳ）の候補をまず選択して決定すると（ステップＳ１）、無線子機ＰＳ１から待受け候補の基地局（ＣＳ）に対して、信号制御チャンネル（ＳＳＣＨ）を用いて、着呼メッセージチャンネル（ＰＣＨ）登録要求を送信する（ステップＳ２）。該着呼メッセージチャンネル（ＰＣＨ）登録要求を受け取った待受け候補の基地局（ＣＳ）は、受け取った着呼メッセージチャンネル（ＰＣＨ）登録要求を主装置である無線通信制御装置１０へ転送する。
【００５１】
待受け候補の基地局（ＣＳ）から転送されてきた着呼メッセージチャンネル（ＰＣＨ）登録要求を受け取った無線通信制御装置１０は、当該着呼メッセージチャンネル（ＰＣＨ）登録要求にて指定されている基地局（ＣＳ）の着呼メッセージチャンネル（ＰＣＨ）を、登録要求元の無線子機（ＰＳ）の着信通知用のチャンネルとして割り付けることが可能か否かを、着呼メッセージチャンネル（ＰＣＨ）テーブル登録処理として実施し、該着呼メッセージチャンネル（ＰＣＨ）テーブル登録処理の実施結果として、登録要求元の無線子機（ＰＳ）が着信通知用として待受け候補の基地局（ＣＳ）からの着呼メッセージチャンネル（ＰＣＨ）を待受けることが許可されたか否かを示すＰＣＨ登録許可／拒否信号を、着呼メッセージチャンネル（ＰＣＨ）登録要求の転送元の待受け候補の基地局（ＣＳ）を介して、登録要求元の無線子機（ＰＳ）に返送してくる。
【００５２】
着呼メッセージチャンネル（ＰＣＨ）登録要求を送信した無線子機（ＰＳ）は、待受け候補として選択した基地局（ＣＳ）を介して、着呼メッセージチャンネル（ＰＣＨ）を用いて、無線通信制御装置１０から返送されてくるＰＣＨ登録許可／拒否信号を待ち合わせ（ステップＳ３）、ＰＣＨ登録許可／拒否信号を受信すると（ステップＳ３のＹＥＳ）、無線通信制御装置１０にて、待受け候補の基地局（ＣＳ）の着呼メッセージチャンネル（ＰＣＨ）を、「着呼メッセージチャンネル（ＰＣＨ）テーブル」に登録することが許可されたか否かを確認する（ステップＳ４）。
【００５３】
無線通信制御装置１０にて登録が許可された場合は（ステップＳ４のＹＥＳ）、待受け候補として選択した当該基地局（ＣＳ）を、着信通知用の着呼メッセージチャンネル（ＰＣＨ）を待受ける待受け基地局として決定して、以降、当該待受け基地局（ＣＳ）からの着呼メッセージチャンネル（ＰＣＨ）の送信タイミングに同期したタイミングで受信ゲートＲｘをＯＮにする受信状態に設定する。
【００５４】
一方、無線通信制御装置１０にて登録が拒否された場合は（ステップＳ４のＮＯ）、待受け候補の基地局（ＣＳ）を変更して選択し直した後（ステップＳ６）、ステップＳ１に復帰して、待受け基地局の登録が成功するまで、新たに選択した待受け候補の基地局（ＣＳ）に対して着呼メッセージチャンネル（ＰＣＨ）登録要求を送信するという動作を繰り返す。
【００５５】
次に、「着呼メッセージチャンネル（ＰＣＨ）テーブル」へ着呼メッセージチャンネル（ＰＣＨ）を待受ける無線子機（ＰＳ）のＰＳ番号を登録する際の無線通信制御装置１０における動作の一例を、図５のフローチャートを用いて説明する。
【００５６】
図５のフローチャートにおいて、無線通信制御装置１０は、待受け候補の基地局（ＣＳ）を介して、無線子機（ＰＳ）からの着呼メッセージチャンネル（ＰＣＨ）登録要求を受け取ると（ステップＳ１１）、着呼メッセージチャンネル（ＰＣＨ）テーブル登録処理を起動して、待受け候補の基地局（ＣＳ）における着呼メッセージチャンネルＰＣＨ１〜着呼メッセージチャンネルＰＣＨ４のうち、登録要求元の無線子機（ＰＳ）のＰＳ番号が示す着信群に割り当てられるべき着信通知用の着呼メッセージチャンネル（ＰＣＨ）を算出する。
【００５７】
算出結果として得られた待受け候補の基地局（ＣＳ）の着信通知用の着呼メッセージチャンネル（ＰＣＨ）により「着呼メッセージチャンネル（ＰＣＨ）テーブル」を検索して、当該着信通知用の着呼メッセージチャンネル（ＰＣＨ）が空きの状態にあり、他の無線子機（ＰＳ）にまだ割り付けられていなかった場合は（ステップＳ１２のＹＥＳ）、着信通知用のチャンネルとして算出した当該待受け候補の基地局（ＣＳ）の着呼メッセージチャンネル（ＰＣＨ）を、登録要求元の無線子機ＰＳ１への着信通知用の着呼メッセージチャンネル（ＰＣＨ）として「着呼メッセージチャンネル（ＰＣＨ）テーブル」に登録するとともに、着呼メッセージチャンネル（ＰＣＨ）登録要求の送信元の無線子機（ＰＳ）に対して、着信通知用として待受け候補の基地局（ＣＳ）の着呼メッセージチャンネル（ＰＣＨ）を登録した旨を示すＰＣＨ登録許可信号を送信する（ステップＳ１３）。
【００５８】
一方、「着呼メッセージチャンネル（ＰＣＨ）テーブル」には、着信通知用のチャンネルとして算出した当該待受け候補の基地局（ＣＳ）の着呼メッセージチャンネル（ＰＣＨ）が、空きチャンネルではなく、既に他の無線子機（ＰＳ）への着信通知用の着呼メッセージチャンネル（ＰＣＨ）として割り付けられている状態にあった場合は（ステップＳ１２のＮＯ）、「着呼メッセージチャンネル（ＰＣＨ）テーブル」への登録を拒否して、着呼メッセージチャンネル（ＰＣＨ）登録要求の送信元の無線子機（ＰＳ）に対して、着信通知用としての待受け候補の基地局（ＣＳ）の着呼メッセージチャンネル（ＰＣＨ）の登録を拒否した旨を示すＰＣＨ登録拒否信号を送信する（ステップＳ１４）。
【００５９】
以上の図３ないし図５のような動作を行うことにより、各無線子機（ＰＳ）は、それぞれに個別に、各基地局（ＣＳ）の各着呼メッセージチャンネル（ＰＣＨ）単位で、分散して、着信の有無を待受けることが可能になり、たとえ、同一着信群に属する複数の無線子機（ＰＳ）に略同時に着信があった場合であっても、各無線子機（ＰＳ）それぞれに対して、遅滞なく、着信通知を行うことができる。
【００６０】
つまり、図１に示すＰＨＳ無線通信システムにおいては、例えば、図２に示すような「着呼メッセージチャンネル（ＰＣＨ）テーブル」の登録結果が得られることになり、その結果として、図６に示すように、各無線子機ＰＳ１〜ＰＳ９それぞれに対して個別に着信通知を行う着呼メッセージチャンネル（ＰＣＨ）が、各基地局ＣＳ１〜ＣＳ３の各着呼メッセージチャンネルＰＣＨ１〜ＰＣＨ４単位に割り付けることができ、各無線子機（ＰＳ）それぞれへの着信を分散して待受けることができる。図６は、図１に示すＰＨＳ無線通信システムにおける各無線子機（ＰＳ）に対する着呼メッセージチャンネル（ＰＣＨ）の割付状態の一例を模式的に示す模式図であり、各無線子機（ＰＳ）ごとに個別に着信通知を行う際の着呼メッセージチャンネル（ＰＣＨ）の割付状態の一例を示している。
【００６１】
例えば、図６において、無線子機ＰＳ１に対する着信があった場合、無線通信制御装置１０は、図２に示すような「着呼メッセージチャンネル（ＰＣＨ）テーブル」を参照して、無線子機ＰＳ１への着信通知を行うための着呼メッセージチャンネル（ＰＣＨ）が、基地局ＣＳ１の着呼メッセージチャンネルＰＣＨ１であることを抽出することにより、基地局ＣＳ１に対して、着呼メッセージチャンネルＰＣＨ１による無線子機ＰＳ１に対する着信通知を指示する信号を送信する。
【００６２】
ここで、無線子機ＰＳ１に対する着信と略同時に、無線子機ＰＳ１と同一着信群に属する無線子機ＰＳ５，ＰＳ９に対する着信が発生していたとしても、無線通信制御装置１０は、図２に示すような「着呼メッセージチャンネル（ＰＣＨ）テーブル」を参照して、無線子機ＰＳ１への着呼メッセージチャンネル（ＰＣＨ）が、基地局ＣＳ１の着呼メッセージチャンネルＰＣＨ１であり、無線子機ＰＳ５への着呼メッセージチャンネル（ＰＣＨ）が、基地局ＣＳ２の着呼メッセージチャンネルＰＣＨ１であり、無線子機ＰＳ９への着呼メッセージチャンネル（ＰＣＨ）が、基地局ＣＳ３の着呼メッセージチャンネルＰＣＨ１であることを抽出することになる。
【００６３】
したがって、無線通信制御装置１０は、図７の太実線矢印で示すように、それぞれ、基地局ＣＳ１，ＣＳ２，ＣＳ３に対して、着呼メッセージチャンネルＰＣＨ１による無線子機ＰＳ１，ＰＳ５，ＰＳ９それぞれに対する着信通知を指示する信号を個別に送信し、各基地局ＣＳ１，ＣＳ２，ＣＳ３においては、図７の太破線矢印で示すように、それぞれの着信通知用の着呼メッセージチャンネルＰＣＨ１を用いて、無線子機ＰＳ１，ＰＳ５，ＰＳ９それぞれに対して、着信通知を、遅滞することなく、略同時に送信することができる。
【００６４】
ここで、図７は、図１に示すＰＨＳ無線通信システムにおいて同一着信群の複数の無線子機（ＰＳ）に対して略同時に着信した場合の着呼メッセージチャンネル（ＰＣＨ）の送信状況の一例を説明するための模式図であり、同一着信群に属する無線子機ＰＳ１，ＰＳ５，ＰＳ９に対して着信通知を行う着呼メッセージチャンネルＰＣＨ１を、基地局ＣＳ１，ＣＳ２，ＣＳ３それぞれから、略同時に個別に送信している例を示している。
【００６５】
（実施形態の効果の説明）
以上に詳細に説明したように、本実施形態によれば、それぞれの無線子機（ＰＳ）に対して着信通知を行う着呼メッセージチャンネル（ＰＣＨ）は、それぞれの無線子機（ＰＳ）と１対１に対応して、個別に割り付けられているので、図７に示すように、たとえ、同一着信群に属する複数の無線子機（ＰＳ）に対して略同時に個別着信があったような場合であっても、着信通知を行う着呼メッセージチャンネル（ＰＣＨ）の空きを待つことなく、それぞれの無線子機（ＰＳ）に対して個別に着呼メッセージチャンネル（ＰＣＨ）を直ちに送信することができ、高速に着信通知を行うことができるという効果が得られる。
【００６６】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記無線通信制御装置は、前記無線子機と前記基地局の前記着呼メッセージチャンネルとを１対１に対応付けて割り付けた状態を登録するＰＣＨテーブルを備えている上記（１）のＰＨＳ無線通信システム。
（３）前記無線子機は、１ないし複数の前記基地局のうち、当該無線子機に対する着信通知用の前記着呼メッセージチャンネルを待受ける前記基地局を、待受け候補の基地局として選択して、当該待受け候補の基地局が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する着呼メッセージチャンネル登録要求を、前記待受け候補の基地局を介して前記無線通信制御装置に対して送信し、前記前記無線通信制御装置から前記着呼メッセージチャンネル登録要求を許可する登録許可信号を前記待受け候補の基地局を介して受け取った場合、前記待受け候補の基地局の当該無線子機への着信通知用として割り付けた前記着呼メッセージチャンネルを、当該無線子機への着信通知を待受ける前記基地局の前記着呼メッセージチャンネルとして決定して動作する上記（１）または（２）のＰＨＳ無線通信システム。
（４）前記無線子機は、前記前記無線通信制御装置から前記着呼メッセージチャンネル登録要求を拒否する登録拒否信号を前記待受け候補の基地局を介して受け取った場合、前記待受け候補の基地局とは異なる他の前記基地局を、新たな待受け候補の基地局として選択し直し、新たに選択し直した当該待受け候補の基地局が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する前記着呼メッセージチャンネル登録要求を、当該待受け候補の基地局を介して前記無線通信制御装置に対して送信する動作を、前記無線通信制御装置から当該着呼メッセージチャンネル登録要求を許可する前記登録許可信号を受け取るまで繰り返す上記（３）のＰＨＳ無線通信システム。
（５）前記無線子機から送信する前記着呼メッセージチャンネル登録要求は、ＰＨＳ規格として規定された信号制御チャンネル（ＳＳＣＨ：Signaling Control Channel）を用いて送信し、前記無線子機へ送信されてくる前記登録許可信号または前記登録拒否信号は、前記着呼メッセージチャンネル（ＰＣＨ：Paging Channel）を用いて送信されてくる上記（３）または（４）のＰＨＳ無線通信システム。
（６）前記無線通信制御装置は、前記無線子機から前記待受け候補の基地局を介して前記着呼メッセージチャンネル登録要求を受信した際に、当該着呼メッセージチャンネル登録要求にて指定された前記待受け候補の基地局の前記着呼メッセージチャンネルが空きチャンネルであった場合には、要求元の前記無線子機に対して、当該前記着呼メッセージチャンネル登録要求にて指定されている前記待受け候補の基地局の前記着呼メッセージチャンネルを、当該無線子機への着信通知を待受けるためのチャンネルとして割り付けることを許可するとともに、その旨を示す登録許可信号を要求元の前記無線子機に対して前記待受け候補の基地局を介して返送する上記（３）ないし（５）のいずれかのＰＨＳ無線通信システム。
（７）前記無線通信制御装置は、前記無線子機から前記待受け候補の基地局を介して前記着呼メッセージチャンネル登録要求を受信した際に、当該着呼メッセージチャンネル登録要求にて指定された前記待受け候補の基地局の前記着呼メッセージチャンネルが他の前記無線子機の着信通知用として既に割付済みであった場合には、要求元の前記無線子機に対して、当該着呼メッセージチャンネル登録要求にて指定されている前記待受け候補の基地局の前記着呼メッセージチャンネルを、当該無線子機への着信通知を待受けるためのチャンネルとして割り付けることを拒否するとともに、その旨を示す登録拒否信号を要求元の前記無線子機に対して前記待受け候補の基地局を介して返送する上記（３）ないし（５）のいずれかのＰＨＳ無線通信システム。
（８）前記無線通信制御装置は、公衆網における電話交換装置、構内網におけるＰＢＸ（Private Branch Exchange）システム、ボタン電話装置のいずれかである上記（１）ないし（７）のいずれかの無線通信制御装置。
（９）ＰＨＳ（Personal Handy-phone System）規格に基づいて基地局と無線子機との間で実施される無線通信を制御する無線通信制御装置であって、前記基地局から前記無線子機に対して着信通知を送信するための着呼メッセージチャンネル（ＰＣＨ：Paging Channel）として、各前記基地局が有する１ないし複数の前記着呼メッセージチャンネルについて、前記着呼メッセージチャンネルを待受ける前記無線子機ごとに、互いに異なる前記基地局の前記着呼メッセージチャンネルを１対１に割り付けるように制御する無線通信制御装置。
（１０）前記無線子機と前記基地局の前記着呼メッセージチャンネルとを１対１に対応付けて割り付けた状態を登録するＰＣＨテーブルを備えている上記（９）の無線通信制御装置。
（１１）前記無線子機から、１ないし複数の前記基地局のうち、当該無線子機に対する着信通知用の前記着呼メッセージチャンネルを待受けるための候補として選択した待受け候補の基地局、が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する着呼メッセージチャンネル登録要求を、前記待受け候補の基地局を介して受信した際に、当該着呼メッセージチャンネル登録要求にて指定された前記待受け候補の基地局の前記着呼メッセージチャンネルが空きチャンネルであった場合には、要求元の前記無線子機に対して、当該着呼メッセージチャンネル登録要求にて指定されている前記待受け候補の基地局の前記着呼メッセージチャンネルを、当該無線子機への着信通知を待受けるためのチャンネルとして割り付けることを許可するとともに、その旨を示す登録許可信号を要求元の前記無線子機に対して前記待受け候補の基地局を介して返送する上記（９）または（１０）の無線通信制御装置。
（１２）前記無線子機から、１ないし複数の前記基地局のうち、当該無線子機に対する着信通知用の前記着呼メッセージチャンネルを待受けるための候補として選択した待受け候補の基地局、が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する着呼メッセージチャンネル登録要求を、前記待受け候補の基地局を介して受信した際に、当該着呼メッセージチャンネル登録要求にて指定された前記待受け候補の基地局の前記着呼メッセージチャンネルが他の前記無線子機の着信通知用として既に割付済みであった場合には、要求元の前記無線子機に対して、当該着呼メッセージチャンネル登録要求にて指定されている前記待受け候補の基地局の前記着呼メッセージチャンネルを、当該無線子機への着信通知を待受けるためのチャンネルとして割り付けることを拒否するとともに、その旨を示す登録拒否信号を要求元の前記無線子機に対して前記待受け候補の基地局を介して返送する上記（９）または（１０）の無線通信制御装置。
（１３）当該無線通信制御装置が、公衆網における電話交換装置、構内網におけるＰＢＸ（Private Branch Exchange）システム、ボタン電話装置のいずれかである上記（９）ないし（１２）のいずれかの無線通信制御装置。
（１４）無線通信を制御する無線通信制御装置の制御下において、ＰＨＳ（Personal Handy-phone System）規格に基づいて、基地局との間の無線通信を行う無線子機であって、前記基地局からの着信通知を送信するための着呼メッセージチャンネル（ＰＣＨ：Paging Channel）として、１ないし複数の前記基地局それぞれが有する１ないし複数の前記着呼メッセージチャンネルのうち、いずれかの前記基地局の前記着呼メッセージチャンネルが、当該無線子機に対する着信通知用として、１対１に割り付けられている無線子機。
（１５）１ないし複数の前記基地局のうち、当該無線子機に対する着信通知用の前記着呼メッセージチャンネルを待受ける前記基地局を、待受け候補の基地局として選択して、当該待受け候補の基地局が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する着呼メッセージチャンネル登録要求を、前記待受け候補の基地局を介して前記無線通信制御装置に対して送信し、前記前記無線通信制御装置から前記着呼メッセージチャンネル登録要求を許可する登録許可信号を前記待受け候補の基地局を介して受け取った場合、前記待受け候補の基地局の当該無線子機への着信通知用として割り付けた前記着呼メッセージチャンネルを、当該無線子機への着信通知を待受ける前記基地局の前記着呼メッセージチャンネルとして決定して動作する上記（１４）の無線子機。
（１６）前記前記無線通信制御装置から前記着呼メッセージチャンネル登録要求を拒否する登録拒否信号を前記待受け候補の基地局を介して受け取った場合、前記待受け候補の基地局とは異なる他の前記基地局を、新たな待受け候補の基地局として選択し直し、新たに選択し直した当該待受け候補の基地局が有する１ないし複数の前記着呼メッセージチャンネルのうち当該無線子機の着信群用として指定されるいずれか１つの着呼メッセージチャンネルを、当該無線子機への着信通知用の着呼メッセージチャンネルとして割り付けることを要求する前記着呼メッセージチャンネル登録要求を、当該待受け候補の基地局を介して前記無線通信制御装置に対して送信する動作を、前記無線通信制御装置から当該着呼メッセージチャンネル登録要求を許可する前記登録許可信号を受け取るまで繰り返す上記（１５）の無線子機。
（１７）ＰＨＳ（Personal Handy-phone System）規格に基づいて基地局と無線子機との間で実施される無線通信を制御する無線通信制御装置を備えたＰＨＳ無線通信システムにおけるＰＨＳ無線通信方法であって、前記無線通信制御装置は、前記基地局から前記無線子機に対して着信通知を送信するための着呼メッセージチャンネル（ＰＣＨ：Paging Channel）として、各前記基地局が有する１ないし複数の前記着呼メッセージチャンネルについて、前記着呼メッセージチャンネルを待受ける前記無線子機ごとに、互いに異なる前記基地局の前記着呼メッセージチャンネルを１対１に割り付けるように制御するＰＨＳ無線通信方法。
（１８）前記無線通信制御装置は、前記無線子機と前記基地局の前記着呼メッセージチャンネルとを１対１に対応付けて割り付けた状態を登録するＰＣＨテーブルを備えている上記（１７）のＰＨＳ無線通信方法。
（１９）上記（１７）または（１８）のＰＨＳ無線通信方法を、コンピュータにより実行可能なプログラムとして実施しているＰＨＳ無線通信プログラム。
（２０）上記（１９）のＰＨＳ無線通信プログラムを、コンピュータにより読み取り可能な記録媒体に記録しているプログラム記録媒体。
【符号の説明】
【００６７】
１０        無線通信制御装置
ＣＳ１      基地局
ＣＳ２      基地局
ＣＳ３      基地局
ＣＳｎ      基地局
ＰＳ１      無線子機
ＰＳ２      無線子機
ＰＳ３      無線子機
ＰＳ４      無線子機
ＰＳ５      無線子機
ＰＳ６      無線子機
ＰＳ７      無線子機
ＰＳ８      無線子機
ＰＳ９      無線子機
ＰＣＨ１    着呼メッセージチャンネル
ＰＣＨ２    着呼メッセージチャンネル
ＰＣＨ３    着呼メッセージチャンネル
ＰＣＨ４    着呼メッセージチャンネル
【図１】
2011114562.tif 000003
【図２】
2011114562.tif 000004
【図３】
2011114562.tif 000005
【図４】
2011114562.tif 000006
【図５】
2011114562.tif 000007
【図６】
2011114562.tif 000008
【図７】
2011114562.tif 000009
【図８】
2011114562.tif 000010
【図９】
2011114562.tif 000011
【図１０】
2011114562.tif 000012